(57)【要約】【課題】  液体を移動させて表示を行なう表示装置において、白い紙と同程度のペーパーホワイト表示および十分濃い光学濃度を得ることが可能となる表示装置を提供する。【解決手段】  ベース板１上の例えば正方形状の１画素に対応する領域のほぼ全域には透明樹脂からなるマイクロチューブ４が３次元的に配置されている。そして、マイクロチューブ４内のほぼ全体に供給されていた透明液体８が透明液体用タンク６内に回収され、且つ、有色液体用タンク５内から有色液体７がマイクロチューブ４内のほぼ全体に供給されると、有色液体７の色自体による色表示となり、その逆の場合には、白色表示となる。この場合、マイクロチューブ４の屈折率とその周囲の空気の屈折率との差分により、入射光のランダムな散乱が繰り返される。この結果、白色表示の場合には、出射光が白色に近づき、ペーパーホワイト表示となり、有色表示の場合には、吸収回数が増大し、出射光が十分濃い光学濃度に近づき、高濃度表示となる。【選択図】  図２
2006313217.tif 000002
【特許請求の範囲】
【請求項１】
複数の画素を有する表示装置において、
前記各画素に対応する領域に配置された透明なマイクロチューブと、
前記マイクロチューブの一端部に接続され、前記マイクロチューブ内に有色液体からなる第１の流体を供給するとともにこの供給された第１の流体を回収する第１の流体供給回収手段と、
前記マイクロチューブの他端部に接続され、前記マイクロチューブ内に前記有色液体とは異なる色を有する第２の流体を供給するとともにこの供給された第２の流体を回収する第２の流体供給回収手段と、
を備えていることを特徴とする表示装置。
【請求項２】
請求項１に記載の表示装置において、前記第１の流体供給回収手段は前記第１の流体を回収して保持する第１の流体用タンクを有し、前記第２の流体供給回収手段は前記第２の流体を回収して保持する第２の流体用タンクを有することを特徴とする表示装置。
【請求項３】
請求項２に記載の表示装置において、前記第１の流体用タンクおよび前記第２の流体用タンクの少なくとも一方は容量可変であることを特徴とする表示装置。
【請求項４】
請求項２に記載の表示装置において、前記第１の流体供給回収手段および前記第２の流体供給回収手段は、前記マイクロチューブ内を前記第１の流体および前記第２の流体または前記第１の流体および前記第２の流体のいずれかで満たすように、前記第１の流体用タンクまたは前記第２の流体用タンクから前記マイクロチューブ内に前記第１の流体および前記第２の流体を供給することを特徴とする表示装置。
【請求項５】
請求項１に記載の表示装置は、前記第１の流体供給回収手段および前記第２の流体供給回収手段より前記マイクロチューブ内に供給する前記第１の流体および前記第２の流体を制御して、該第１の流体と該第２の流体との界面を該マイクロチューブの一端部側および他端部側のいずれかの方向に移動させて表示を行なうことを特徴とする表示装置。
【請求項６】
請求項１に記載の表示装置において、前記第１の流体および前記第２の流体は互いに混ざり合わない液体からなることを特徴とする表示装置。
【請求項７】
請求項１に記載の表示装置において、前記第２の流体は透明の流体からなることを特徴とする表示装置。
【請求項８】
請求項７に記載の表示装置において、前記第２の流体は空気であることを特徴とする表示装置。
【請求項９】
請求項１に記載の表示装置において、前記マイクロチューブは、複数の曲線部を有し、１画素に対応する領域に２次元的または３次元的で予め設定されたパターンもしくはランダムに配置されていることを特徴とする表示装置。
【請求項１０】
請求項９に記載の表示装置において、前記マイクロチューブの周囲に空気が存在することを特徴とする表示装置。
【請求項１１】
請求項１に記載の表示装置において、前記マイクロチューブは前記各画素に対応する領域に複数配置され、前記各マイクロチューブ内に、前記第１の流体として、異なる色の有色液体が供給されることを特徴とする表示装置。
【請求項１２】
請求項１１に記載の表示装置において、前記各マイクロチューブ内に、前記第１の流体として、イエロー用有色液体、マゼンタ用有色液体およびシアン用有色液体の何れかが供給されることを特徴とする表示装置。
【請求項１３】
請求項１１に記載の表示装置において、前記各マイクロチューブ内に、前記第１の流体として、イエロー用有色液体、マゼンタ用有色液体、シアン用有色液体およびブラック用有色液体の何れかが供給されることを特徴とする表示装置。
【発明の詳細な説明】
【技術分野】
【０００１】
この発明は、流体を移動させて表示を行なう表示装置に関する。
【背景技術】
【０００２】
流体を移動させて表示を行なう従来の表示装置には、１画素を構成する容器内に有色液体（誘電体）および気泡を封入し、容器の一方側の表裏両面に互いに対向して設けられた一対の第１の電極に電圧が印加されると、静電力により、有色液体を容器内の一方側に移動させるとともに、気泡を容器内の他方側に移動させ、容器の他方側の表裏両面に互いに対向して設けられた一対の第２の電極に電圧が印加されると、静電力により、有色液体を容器内の他方側に移動させるとともに、気泡を容器内の一方側に移動させ、容器の一方側のみを視認可能な画素とすることにより、表示を行なうようにしたものがある（例えば、特許文献１参照）。
【０００３】
【特許文献１】特開平８−２５４９６２号公報
【発明の開示】
【発明が解決しようとする課題】
【０００４】
ところで、上記従来の表示装置では、容器の一方側の表面側とは反対側を白色で不透明とし、容器内の一方側に気泡があるとき、白色表示とし、容器内の一方側に有色液体があるとき、有色液体の色自体による色表示としている。しかしながら、有色液体は例えば水にインクを溶かしたものであり、インク単体の吸収能力が低く、十分濃い光学濃度を得ることができないという問題がある。また、容器の一方側の表面にＩＴＯなどの透明導電材料からなる第１の電極が設けられているので、第１の電極で透明とはいっても数％の光の吸収があり、白い紙と同程度のペーパーホワイト表示を得ることができないという問題がある。
【０００５】
そこで、この発明は、十分濃い光学濃度を得ることができるとともに、白い紙と同程度のペーパーホワイト表示を得ることが可能となる表示装置を提供することを目的とする。
【課題を解決するための手段】
【０００６】
この発明は、上記目的を達成するため、複数の画素を有する表示装置において、前記各画素に対応する領域に配置された透明なマイクロチューブと、前記マイクロチューブの一端部に接続され、前記マイクロチューブ内に有色液体からなる第１の流体を供給するとともにこの供給された第１の流体を回収する第１の供給回収手段と、前記マイクロチューブの他端部に接続され、前記マイクロチューブ内に前記有色液体とは異なる色を有する第２の流体を供給するとともにこの供給された第２の流体を回収する第２の流体供給回収手段と、を備えていることを特徴とするものである。
【発明の効果】
【０００７】
この発明によれば、各画素に対応する領域に配置された透明なマイクロチューブ内に有色液体からなる第１の流体あるいは有色液体とは異なる色を有する第２の流体を供給することにより、十分濃い光学濃度を得ることができるとともに、第２の流体として透明の流体を用いることにより、白い紙と同程度のペーパーホワイト表示を得ることが可能となる。
【発明を実施するための最良の形態】
【０００８】
（第１実施形態）
図１はこの発明の第１実施形態としての表示装置の１画素部分の白色表示状態を示す概略構成図である。また、図２は色表示状態を示す概略構成図である。この表示装置は白色樹脂からなるベース板１を備えている。ベース板１の１画素に対応する領域の所定の２箇所には有色液体用移動孔２および透明液体用移動孔３が設けられている。ベース板１の上面側にはポリスチレン、ポリアミド、ポリエチレンテレフタレートなどの透明樹脂からなるマイクロチューブ４が配置されている。なお、図１、図２には便宜上１画素のみの構造を示すが、本実施形態における表示装置は、この構造を有する画素が複数、例えば２次元のマトリクス状に配列されて構成され、ベース板１は複数の画素に相当する大きさを有する。
【０００９】
マイクロチューブ４は中空糸の形成方法と同様の形成方法により形成され、その外径は数μｍ〜数十μｍである。そして、マイクロチューブ４は、複数の曲線部を有し、その両端部を有色液体用移動孔２および透明液体用移動孔３に接続された状態で、ベース板１上の例えば正方形状の１画素に対応する領域のほぼ全域に３次元的（または２次元的）で予め設定されたパターンもしくはランダムに配置されている。
【００１０】
ベース板１の下面側には有色液体用タンク（第１の流体用タンク）５および透明液体用タンク（第２の流体用タンク）６が有色液体用移動孔２および透明液体用移動孔３に接続されて設けられている。有色液体用タンク５および透明液体用タンク６は、その具体的な構造については後で説明するが、容積を可変することができるようになっている。
【００１１】
この場合、有色液体用タンク５と透明液体用タンク６とのうちの一方のタンクの容積が増加（または減少）すると、これに連動して、他方のタンクの容積が減少（または増加）するようになっている。そして、図１に示す後述する白色表示状態では、有色液体用タンク５の容積が最大となり、これに連動して、透明液体用タンク６の容積が最小となっている。
【００１２】
有色液体用タンク５内および透明液体用タンク６内には有色液体（第１の流体）７および透明液体（第２の流体）８が収容されている。有色液体７および透明液体８は互いに混ざり合わないものからなっている。例えば、有色液体７の液体および透明液体８として、水、シリコーンオイル、フロリナート（米国３Ｍ社製）などからなるフッ素系不活性液体のうちのいずれか２つを用いるようにしてもよい。
【００１３】
有色液体７の色材は、当然のことながら、透明液体８に溶けず、それ自体の液体のみに溶けるものからなっている。例えば、有色液体７の液体として水を用い、透明液体８としてシリコーンオイルを用いる場合には、水に水性顔料インキを溶かす。有色液体７の液体としてシリコーンオイルを用い、透明液体８として水を用いる場合には、シリコーンオイルに油性顔料インキを溶かす。
【００１４】
このように、有色液体７および透明液体８は互いに混ざり合わないものからなっているので、有色液体用タンク５内から有色液体用移動孔２を介してマイクロチューブ４内に供給された有色液体７と透明液体用タンク６内から透明液体用移動孔３を介してマイクロチューブ４内に供給された透明液体８との界面９は、マイクロチューブ４内のどこかに位置するようになっている。
【００１５】
例えば、図１に示す後述する白色表示状態では、有色液体用タンク５の容積が最大となり、透明液体用タンク６の容積が最小となっているので、有色液体用タンク５内に有色液体７が最大に収容され、透明液体用タンク６内から透明液体８が透明液体用移動孔３を介してマイクロチューブ４内のほぼ全体に供給され、界面９がマイクロチューブ４内において有色液体用移動孔２の近傍に位置している。
【００１６】
次に、この表示装置の表示動作について説明する。まず、図１に示す状態において、透明液体用タンク６の容積が徐々に増加して最大となり、これに連動して、有色液体用タンク５の容積が徐々に減少して最小になると、図２に示すように、マイクロチューブ４内のほぼ全体に供給されていた透明液体８が透明液体用移動孔３を介して透明液体用タンク６内に回収され、且つ、有色液体用タンク５内から有色液体７が有色液体用移動孔２を介してマイクロチューブ４内のほぼ全体に供給され、界面９がマイクロチューブ４内において有色液体用移動孔２の近傍から透明液体用移動孔３側に向かって移動して透明液体用移動孔３の近傍に位置する状態となり、後述の如く、有色液体７の色自体による色表示となる。
【００１７】
一方、図２に示す状態において、有色液体用タンク５の容積が徐々に増加して最大となり、これに連動して、透明液体用タンク６の容積が徐々に減少して最小になると、図１に示すように、マイクロチューブ４内のほぼ全体に供給されていた有色液体７が有色液体用移動孔２を介して有色液体用タンク５内に回収され、且つ、透明液体用タンク６内から透明液体８が透明液体用移動孔３を介してマイクロチューブ４内のほぼ全体に供給され、界面９がマイクロチューブ４内において透明液体用移動孔３の近傍から有色液体用移動孔２側に向かって移動して有色液体用移動孔２の近傍に位置する状態となり、後述の如く、白色表示となる。
【００１８】
ここで、紙の表示品位について説明する。紙は、一般的に、セルロースなどからなる繊維に白色材と呼ばれる透明粉体を混ぜたものであるが、べた状ではなく隙間があり、繊維および透明粉体の周囲に空気が存在する。そして、繊維および透明粉体の屈折率が１．３〜１．５および１．４〜１．７であるのに対し、その周囲の空気の屈折率が１．０であるので、この屈折率の差分により、入射光のランダムな散乱が繰り返され、出射光が白色に近づき、ペーパーホワイト表示となる。
【００１９】
また、紙に印刷されたインク単体での吸収能力は低いが、紙に印刷されたインクは繊維または透明粉体の表面を薄く覆っているため、上記のような紙の屈折率差分構造により、入射光のランダムな散乱が繰り返されることにより、吸収回数が増大し、出射光が十分濃い光学濃度に近づき、高濃度表示となる。
【００２０】
一方、上記表示装置では、ベース板１上の１画素に対応する領域のほぼ全域に、複数の曲線部を有するマイクロチューブ４を３次元的（または２次元的）で予め設定されたパターンもしくはランダムに配置しているため、マイクロチューブ４の周囲に空気が存在する。そして、透明樹脂からなるマイクロチューブ４の屈折率が１．３〜１．５であるのに対し、その周囲の空気の屈折率が１．０であるので、この屈折率の差分により、図１に示す白色表示状態においては、例えば矢印で示すように、入射光のランダムな散乱が繰り返され、出射光が白色に近づき、ペーパーホワイト表示となる。
【００２１】
また、図２に示す有色液体７の色自体による色表示状態においては、マイクロチューブ４内のほぼ全体に供給されている有色液体７単体での吸収能力は低いが、上記のようなマイクロチューブ４の屈折率差分構造により、例えば矢印で示すように、入射光のランダムな散乱が繰り返されることにより、吸収回数が増大し、出射光が十分濃い光学濃度に近づき、高濃度表示となる。
【００２２】
ここで、有色液体用タンク５および透明液体用タンク６について説明する。図３は有色液体用タンク５および透明液体用タンク６を備えた流体供給回収装置１１の一例の、図１の白色表示状態に対応する断面図を示し、図４は図２の色表示状態に対応する断面図を示す。この流体供給回収装置（第１の流体供給回収手段、第２の流体供給回収手段）１１は中空直方体形状のケース１２を備えている。ケース１２の上面および下面にはべた状の上側電極板１３および下側電極板１４が設けられている。
【００２３】
ケース１２の内部には短冊形状の可撓性電極板１５が設けられている。可撓性電極板１５の一端部はケース１２内の一端部天井面に固着され、他端部はケース１２内の他端部床面に固着され、途中の側面ほぼＳ字状に変形された部分よりも右側の部分はケース１２内の天井面に接触され、側面ほぼＳ字状に変形された部分よりも左側の部分はケース１２内の床面に接触されている。この場合、可撓性電極板１５の側面ほぼＳ字状に変形された部分は、相対的に、その変形状態を維持したまま、図３において左右方向に移動可能となっている。
【００２４】
そして、ケース１２内は、可撓性電極板１５の側面ほぼＳ字状に変形された部分により、有色液体用空間１６および透明液体用空間１７の２つに分離されている。ケース１２の上面両側、それに対応する部分における上側電極板１３および可撓性電極板１５には有色液体用移動孔１８および透明液体用移動孔１９が有色液体用空間１６および透明液体用空間１７に連通されて設けられている。
【００２５】
有色液体用空間１６内および透明液体用空間１７内には有色液体用タンク（第１の流体用タンク）５および透明液体用タンク（第２の流体用タンク）６が設けられている。有色液体用タンク５および透明液体用タンク６は、例えば、伸縮性を有する樹脂材料、あるいは、蛇腹構造などを有して、容量可変可能な袋状の構造を有している。そして、有色液体用タンク５の口部は、有色液体用移動孔１８を介して図１の有色液体用移動孔２に連通されている。透明液体用タンク６の口部は、透明液体用移動孔１９を介して図１の透明液体用移動孔３に連通されている。有色液体用タンク５内および透明液体用タンク６内には有色液体７および透明液体８が収容されている。
【００２６】
次に、この流体供給回収装置１１の動作について説明する。図１に示す白色表示状態では、図３に示すように、可撓性電極板１５の側面ほぼＳ字状に変形した部分が左方向移動限位置に位置し、有色液体用タンク５の容積が最大となり、透明液体用タンク６の容積が最小となっている。
【００２７】
この状態において、下側電極板１４が電気的にはどことも接続されないオープン状態とされ、且つ、上側電極板１３および可撓性電極板１５に同符号の電圧（例えば正電圧、以下同じ）が印加されると、上側電極板１３と可撓性電極板１５との間に発生するクーロン力による斥力により、可撓性電極板１５の側面ほぼＳ字状に変形された部分が相対的に図３において右側に向かって移動する。
【００２８】
そして、図４に示すように、可撓性電極板１５の側面ほぼＳ字状に変形された部分が右方向移動限位置に到達すると、有色液体用タンク５の容積が最小となり、有色液体用タンク５内から有色液体７が有色液体用移動孔１８を介して供給され、これに連動して、透明液体用タンク６内に透明液体８が透明液体用移動孔１９を介して回収され、透明液体用タンク６の容積が最大となる。
【００２９】
したがって、この場合には、図２に示すように、マイクロチューブ４内のほぼ全体に供給されていた透明液体８が透明液体用移動孔３（１９）を介して透明液体用タンク６内に回収され、且つ、有色液体用タンク５内から有色液体７が有色液体用移動孔２（１８）を介してマイクロチューブ４内のほぼ全体に供給され、有色液体７の色自体による色表示となる。
【００３０】
一方、図４に示す状態において、上側電極板１３が電気的にはどことも接続されないオープン状態とされ、且つ、下側電極板１４および可撓性電極板１５に同符号の電圧が印加されると、下側電極板１４と可撓性電極板１５との間に発生するクーロン力による斥力により、可撓性電極板１５の側面ほぼＳ字状に変形された部分が相対的に図４において左側に向かって移動する。
【００３１】
そして、図３に示すように、可撓性電極板１５の側面ほぼＳ字状に変形された部分が左方向移動限位置に到達すると、透明液体用タンク６の容積が最小となり、透明液体用タンク６内から透明液体８が透明液体用移動孔１９を介して供給され、これに連動して、有色液体用タンク５内に有色液体７が有色液体用移動孔１８を介して回収され、有色液体用タンク５の容積が最大となる。
【００３２】
したがって、この場合には、図１に示すように、マイクロチューブ４内のほぼ全体に供給されていた有色液体７が有色液体用移動孔２（１８）を介して有色液体用タンク５内に回収され、且つ、透明液体用タンク６内から透明液体７が透明液体用移動孔３（１９）を介してマイクロチューブ４内のほぼ全体に供給され、白色表示となる。
【００３３】
ところで、この流体供給回収装置１１では、図３に示すように、下側電極板１４と可撓性電極板１５との間に発生するクーロン力による斥力により、可撓性電極板１５の側面ほぼＳ字状に変形された部分を左方向移動限位置に到達させて、白色表示に切り換えた後には、下側電極板１４および可撓性電極板１５への電圧の印加を停止しても、その間に発生していたクーロン力による斥力が消失するだけであり、可撓性電極板１５の側面ほぼＳ字状に変形された部分が左方向移動限位置に位置した状態を維持することができる。
【００３４】
一方、図４に示すように、上側電極板１３と可撓性電極板１５との間に発生するクーロン力による斥力により、可撓性電極板１５の側面ほぼＳ字状に変形された部分を右方向移動限位置に到達させて、有色液体７の色自体により色表示に切り換えた後には、上側電極板１３および可撓性電極板１５への電圧の印加を停止しても、その間に発生していたクーロン力による斥力が消失するだけであり、可撓性電極板１５の側面ほぼＳ字状に変形された部分が右方向移動限位置に位置した状態を維持することができる。したがって、この表示装置では、表示内容を変えない限りは電力を加える必要はなく、非常に低消費電力化することができる。
【００３５】
（第２実施形態）
図５はこの発明の第２実施形態としての表示装置の１画素部分の白色表示状態を示す一部を省略した概略構成図である。また、図６〜９はイエロー色表示状態、マゼンタ色表示状態、シアン色表示状態、ブラック色表示状態を示す概略構成図である。この表示装置において、図１に示す表示装置と異なる点は、ベース板１の上面側に４本のマイクロチューブ４Ｙ、４Ｍ、４Ｃ、４Ｂを配置し、ベース板１の下面側にそれぞれ４つの有色液体用タンク（第１の流体用タンク）５Ｙ、５Ｍ、５Ｃ、５Ｂおよび透明液体用タンク（第２の流体用タンク）６Ｙ、６Ｍ、６Ｃ、６Ｂを設けた点である。なお、図１の場合と同様に図５〜図９は１画素のみの構造を示し、本実施形態における表示装置は、図５に示す構造を有する画素が複数、例えば２次元のマトリクス状に配列されて構成され、ベース板１は複数の画素に相当する大きさを有する。
【００３６】
すなわち、ベース板１の１画素に対応する領域の所定の８箇所には有色液体用移動孔２Ｙ、２Ｍ、２Ｃ、２Ｂおよび透明液体用移動孔３Ｙ、３Ｍ、３Ｃ、３Ｂが設けられている。４本のマイクロチューブ４Ｙ、４Ｍ、４Ｃ、４Ｂは、その各両端部をそれぞれ対応する有色液体用移動孔２Ｙ、２Ｍ、２Ｃ、２Ｂおよび透明液体用移動孔３Ｙ、３Ｍ、３Ｃ、３Ｂに接続された状態で、ベース板１上の例えば正方形状の１画素に対応する領域のほぼ全域に３次元的（または２次元的）で予め設定されたパターンもしくはランダムに配置されている。
【００３７】
ベース板１の下面側には有色液体用タンク５Ｙ、５Ｍ、５Ｃ、５Ｂおよび透明液体用タンク６Ｙ、６Ｍ、６Ｃ、６Ｂが、それぞれ対応する有色液体用移動孔２Ｙ、２Ｍ、２Ｃ、２Ｂおよび透明液体用移動孔３Ｙ、３Ｍ、３Ｃ、３Ｂに接続された状態で、設けられている。有色液体用タンク５Ｙ、５Ｍ、５Ｃ、５Ｂ内にはそれぞれ、有色液体（第１の流体）として、イエロー用有色液体７Ｙ、マゼンタ用有色液体７Ｍ、シアン用有色液体７Ｃおよびブラック用有色液体７Ｂが収容されている。また、透明液体用タンク６Ｙ、６Ｍ、６Ｃ、６Ｂ内にはそれぞれ透明液体（第２の流体）８Ｙ、８Ｍ、８Ｃ、８Ｂが収容されている。
【００３８】
次に、この表示装置の表示動作について説明する。まず、図５に示すように、４つの有色液体用タンク５Ｙ、５Ｍ、５Ｃ、５Ｂの容積が最大となり、且つ、４つの透明液体用タンク６Ｙ、６Ｍ、６Ｃ、６Ｂの容積が最小となった状態では、各透明液体用タンク６Ｙ、６Ｍ、６Ｃ、６Ｂ内から透明液体８Ｙ、８Ｍ、８Ｃ、８Ｂが各マイクロチューブ４Ｙ、４Ｍ、４Ｃ、４Ｂ内のほぼ全体に供給され、白色表示となる。
【００３９】
次に、図５に示す状態において、透明液体用タンク６Ｙの容積が最大となり、且つ、有色液体用タンク５Ｙの容積が最小になると、図６に示すように、マイクロチューブ４Ｙ内のほぼ全体に供給されていた透明液体８Ｙが透明液体用タンク６Ｙ内に回収され、且つ、有色液体用タンク５Ｙ内から有色液体７Ｙがマイクロチューブ４Ｙ内のほぼ全体に供給され、イエロー色表示となる。
【００４０】
次に、図５に示す状態において、透明液体用タンク６Ｍの容積が最大となり、且つ、有色液体用タンク５Ｍの容積が最小になると、図７に示すように、マイクロチューブ４Ｍ内のほぼ全体に供給されていた透明液体８Ｍが透明液体用タンク６Ｍ内に回収され、且つ、有色液体用タンク５Ｍ内から有色液体７Ｍがマイクロチューブ４Ｍ内のほぼ全体に供給され、マゼンタ色表示となる。
【００４１】
第３に、図５に示す状態において、透明液体用タンク６Ｃの容積が最大となり、且つ、有色液体用タンク５Ｃの容積が最小になると、図８に示すように、マイクロチューブ４Ｃ内のほぼ全体に供給されていた透明液体８Ｃが透明液体用タンク６Ｃ内に回収され、且つ、有色液体用タンク５Ｃ内から有色液体７Ｃがマイクロチューブ４Ｃ内のほぼ全体に供給され、シアン色表示となる。
【００４２】
次に、図５に示す状態において、透明液体用タンク６Ｂの容積が最大となり、且つ、有色液体用タンク５Ｂの容積が最小になると、図９に示すように、マイクロチューブ４Ｂ内のほぼ全体に供給されていた透明液体８Ｂが透明液体用タンク６Ｂ内に回収され、且つ、有色液体用タンク５Ｂ内から有色液体７Ｂがマイクロチューブ４Ｂ内のほぼ全体に供給され、ブラック色表示となる。
【００４３】
ところで、この表示装置では、３本のマイクロチューブ４Ｙ、４Ｍ、４Ｃ内に有色液体７Ｙ、７Ｍ、７Ｃを適宜に供給すると、補色表示原理に基づくフルカラー表示を行なうことができる。この場合、３本のマイクロチューブ４Ｙ、４Ｍ、４Ｃ内に供給する有色液体７Ｙ、７Ｍ、７Ｃの量を調整すると、階調表現を行なうことができる。図１０は有色液体の供給量を調整する場合の一例を示す断面図である。
【００４４】
マイクロチューブ４Ｙ、４Ｍ、４Ｃ内に供給する有色液体７Ｙ、７Ｍ、７Ｃの量を調整する場合には、一例として、図３に示す流体供給回収装置１１を参照して説明すると、図３に示す状態において、上側電極板１３および可撓性電極板１５に同符号の電圧が印加され、可撓性電極板１５の側面ほぼＳ字状に変形された部分が右側に向かって移動し、そして、例えば図１０に示すように、可撓性電極板１５の側面ほぼＳ字状に変形された部分がケース１２内のほぼ中央部に到達した時点で、上側電極板１３および可撓性電極板１５への電圧の印加を停止すると、有色液体７Ｙ、７Ｍ、７Ｃがマイクロチューブ４Ｙ、４Ｍ、４Ｃ内のほぼ半分に供給される。
【００４５】
また、ブラック色表示の場合には、他のマイクロチューブ４Ｙ、４Ｍ、４Ｃ内への有色液体７Ｙ、７Ｍ、７Ｃおよび透明液体８Ｙ、８Ｍ、８Ｃの供給はどうでもよいが、他のマイクロチューブ４Ｙ、４Ｍ、４Ｃ内のほぼ全体に有色液体７Ｙ、７Ｍ、７Ｃまたは透明液体８Ｙ、８Ｍ、８Ｃを供給しておくと、次の色表示の制御を行ないやすくすることができる。
【００４６】
なお、マイクロチューブ４Ｂ、有色液体用タンク５Ｂおよび透明液体用タンク６Ｂを省略し、３本のマイクロチューブ４Ｙ、４Ｍ、４Ｃ内のほぼ全体に有色液体７Ｙ、７Ｍ、７Ｃを同時に供給し、これによりブラック色表示を行なうようにしてもよい。しかしながら、ブラック用有色液体７Ｂによるブラック色表示を行なうと、色再現性を向上させることができる。
【００４７】
（その他の実施形態）
例えば、図１において、有色液体７の液体および透明液体８として共に水を用い、マイクロチューブ４内において有色液体７と透明液体８との間にシリコーンオイルまたは空気を若干介在させるようにしてもよい。また、例えば、図１において、有色液体７の液体および透明液体８として共にシリコーンオイルを用い、マイクロチューブ４内において有色液体７と透明液体８との間に水または空気を若干介在させるようにしてもよい。さらに、例えば、図１において、透明液体８の代わりに、空気（透明流体）を用いるようにしてもよい。
【００４８】
また、上記各実施形態においては、マイクロチューブに透明液体を第２の流体として供給して白色表示を行なう構成としたが、白色とは異なる色の表示に設定するものであってもよい。その場合、第２の流体として、マイクロチューブに供給される有色液体とは異なる色を有する流体を供給するものであってもよい。
【図面の簡単な説明】
【００４９】
【図１】この発明の第１実施形態としての表示装置の１画素部分の白色表示状態を示す概略構成図。
【図２】図１に示す表示装置の有色液体の色自体により色表示状態を示す概略構成図。
【図３】流体供給回収装置の一例の図１に対応する状態の断面図。
【図４】図３に示す流体供給回収装置の図２に対応する状態の断面図。
【図５】この発明の第２実施形態としての表示装置の１画素部分の白色表示状態を示す一部を省略した概略構成図。
【図６】図５に示す表示装置のイエロー色表示状態を示す概略構成図。
【図７】図５に示す表示装置のマゼンタ色表示状態を示す概略構成図。
【図８】図５に示す表示装置のシアン色表示状態を示す概略構成図。
【図９】図５に示す表示装置のブラック色表示状態を示す概略構成図。
【図１０】図３に示す流体供給回収装置を用いて有色液体の供給量を調整する場合の一例を説明するために示す断面図。
【符号の説明】
【００５０】
１  ベース板
２、２Ｙ、２Ｍ、２Ｃ、２Ｂ  有色液体用移動孔
３、３Ｙ、３Ｍ、３Ｃ、３Ｂ  透明液体用移動孔
４、４Ｙ、４Ｍ、４Ｃ、４Ｂ  マイクロチューブ
５、５Ｙ、５Ｍ、５Ｃ、５Ｂ  有色液体用タンク
６、６Ｙ、６Ｍ、６Ｃ、６Ｂ  透明液体用タンク
７、７Ｙ、７Ｍ、７Ｃ、７Ｂ  有色液体
８、８Ｙ、８Ｍ、８Ｃ、８Ｂ  透明液体
【図１】
2006313217.tif 000003
【図２】
2006313217.tif 000004
【図３】
2006313217.tif 000005
【図４】
2006313217.tif 000006
【図５】
2006313217.tif 000007
【図６】
2006313217.tif 000008
【図７】
2006313217.tif 000009
【図８】
2006313217.tif 000010
【図９】
2006313217.tif 000011
【図１０】
2006313217.tif 000012